(57)【要約】【課題】医療材料の在庫を適切に管理して、過剰な購入、保管、管理に伴う経済的な負担や無駄を省くだけでなく、患者が負担するコストが適切であるか否かを確認できる院内物流管理システムを提供する。【解決手段】院内物流管理システム１は、医療材料の管理に必要な材料管理情報が格納されたデータベース１２が接続され、データベース１２へのデータの書き込みおよび読み出しが可能なサーバ１１と、データベース１２に格納された材料管理情報を含むバーコード、および前記医療材料を一意に識別するユニークコードを含むバーコードが印刷されたラベルを作成するラベルプリンタ１６とを備えている。サーバ１１は、前記医療材料の材料管理情報と、ラベルが貼られた医療材料の在庫および消費の状況を示す在庫・消費情報とを、前記ユニークコードを用いて紐付けした状態でデータベース１２に格納する。【選択図】図３
2019008694.tif 000002
【特許請求の範囲】
【請求項１】
医療機関に納品された医療材料の移動、保管および消費を管理する院内物流管理システムであって、
前記医療材料の管理に必要な材料管理情報が格納されたデータベースが接続され、当該データベースへのデータの書き込みおよび読み出しが可能なサーバと、
前記データベースに格納された材料管理情報を含むバーコード、および前記医療材料を一意に識別するユニークコードを含むバーコードが印刷されたラベルを作成するラベルプリンタと、
前記医療材料に貼付されたラベルのバーコード情報を読み取るバーコードリーダと、
消費された前記医療材料から剥がされ、かつ回収用紙に貼られた状態の前記ラベルのバーコード情報を、当該回収用紙に印刷された前記医療材料の消費に関連したバーコード情報と共に読み取るＯＣＲスキャナと、を備え、
前記サーバは、前記医療材料の材料管理情報と、前記ＯＣＲスキャナで読み取った情報を含む、前記ラベルが貼られた医療材料の在庫および消費の状況を示す在庫・消費情報とを、前記ユニークコードを用いて紐付けした状態で前記データベースに格納することを特徴とする院内物流管理システム。
【請求項２】
前記ＯＣＲスキャナに代え、前記回収用紙に印刷されたバーコード情報と前記ラベルのバーコード情報とを、前記バーコードリーダを用いて読み取る、請求項１に記載の院内物流管理システム。
【請求項３】
前記サーバは更に、前記医療材料自体またはその包装に印刷されたバーコードに書き込まれた、当該医療材料の有効期限を含む標準化情報を、当該医療材料のユニークコードを用いて前記材料管理情報および在庫・消費情報に紐付けした状態で前記データベースに格納する、請求項１または２に記載の院内物流管理システム。
られ、
【請求項４】
前記ラベルとして、台紙の色の少なくとも一部が異なる２種類のラベルが用いられ、
第１の色のラベルは、保険が適用される医療材料、および保険は適用されないが、単回使用で価格が比較的高い医療材料に貼られ、第２の色のラベルは、保険が適用されず、価格が比較的安い医療材料および単回使用でない医療材料に貼られる、請求項１ないし３のいずれかに記載の院内物流管理システム。
【請求項５】
前記回収用紙として、患者別に使用されたラベルを回収する患者別回収用紙と、部署別に使用されたラベルを回収する部署別回収用紙が用いられ、
前記第１の色のラベルは前記患者別回収用紙に貼られた状態で回収され、前記第２の色のラベルは、前記部署別回収用紙に貼られた状態で回収される、請求項４に記載の院内物流管理システム。
【請求項６】
前記ユニークコードは、前記医療材料が納品された日付およびシリアル番号で構成される、請求項１ないし５のいずれかに記載の院内物流管理システム。
【請求項７】
前記ラベルに印刷されるバーコードとして、一次元のバーコードを用いる、請求項１ないし６のいずれかに記載の院内物流管理システム。
【請求項８】
前記ラベルに印刷されるバーコードとして、一次元および二次元のバーコードを併用する、請求項１ないし６のいずれかに記載の院内物流管理システム。
【発明の詳細な説明】
【技術分野】
【０００１】
本発明は、医療機関において医療材料の移動、保管および消費を管理する院内物流管理システムに関する。
【背景技術】
【０００２】
医療機関の代表である病院には、診療科（内科、外科、眼科等）、病棟、放射線科、ICU等の多くの医療部門があり、それぞれの医療部門の現場において大量の医療材料が取り扱われている。
【０００３】
上述の医療材料には、納入業者が病院内の決まった場所に置いておき、使用した分だけ購入する委託品、ガーゼ、包帯などの衛生材料、注射器のように病院が定期的に購入して倉庫に保管しておく通常品等、様々な種類がある。
【０００４】
このような医療材料の管理にあたっては、材料の種別や内容を示す情報の他に、メーカ名、納入業者名、定価、保険請求区分等の大量の情報を取り扱う必要がある。
【０００５】
上述した院内における医療材料の物流管理システムとして、病院に納品された医療材料にバーコードを印刷したラベルを貼り、使用済みの医療材料からラベルを回収することで、在庫管理を行うシステムが提案されている（特許文献１参照）。
【０００６】
特許文献１に記載の院内物流管理システムによれば、必要な医療材料を必要な数量だけ購入し、保管することができるため、過剰な購入、保管、管理に伴う経済的な負担や無駄を省いて、病院経営の改善に貢献できる。
【先行技術文献】
【特許文献】
【０００７】
【特許文献１】特開２００３−１３２１４５号公報
【発明の概要】
【発明が解決しようとする課題】
【０００８】
しかし、上述の院内物流管理システムでは、患者別の情報、すなわち、それぞれの医療材料が、どの部署でどの患者に使用されたかを把握できないために、医療材料に関して患者が負担するコストが適切であるか否かを確認することができなかった。
【０００９】
本発明は、このような状況に鑑みてなされたもので、医療材料に関して患者が負担するコストが適切であるか否かを、簡単に確認できる院内物流管理システムを提供することを目的とする。
【課題を解決するための手段】
【００１０】
上記目的を達成するため、本発明に係る院内物流管理システムは、医療機関に納品された医療材料の移動、保管および消費を管理する院内物流管理システムであって、
前記医療材料の管理に必要な材料管理情報が格納されたデータベースが接続され、当該データベースへのデータの書き込みおよび読み出しが可能なサーバと、
前記データベースに格納された材料管理情報を含むバーコード、および前記医療材料を一意に識別するユニークコードを含むバーコードが印刷されたラベルを作成するラベルプリンタと、
前記医療材料に貼付されたラベルのバーコード情報を読み取るバーコードリーダと、
消費された前記医療材料から剥がされ、かつ回収用紙に貼られた状態の前記ラベルのバーコード情報を、当該回収用紙に印刷された前記医療材料の消費に関連したバーコード情報と共に読み取るＯＣＲスキャナと、を備え、
前記サーバは、前記医療材料の材料管理情報と、前記ＯＣＲスキャナで読み取った情報を含む、前記ラベルが貼られた医療材料の在庫および消費の状況を示す在庫・消費情報とを、前記ユニークコードを用いて紐付けした状態で前記データベースに格納することを特徴とする。
【００１１】
ここで、前記ＯＣＲスキャナに代え、前記回収用紙に印刷されたバーコード情報と前記ラベルのバーコード情報とを、前記バーコードリーダを用いて読み取るようにしてもよい。
【００１２】
また、前記サーバは更に、前記医療材料自体またはその包装に印刷されたバーコードに書き込まれた、当該医療材料の有効期限を含む標準化情報を、当該医療材料のユニークコードを用いて前記材料管理情報および在庫・消費情報に紐付けした状態で前記データベースに格納することが好ましい。
【００１３】
前記ラベルとして、台紙の色の少なくとも一部が異なる２種類のラベルが用いられ、第１の色のラベルは、保険が適用される医療材料、および保険は適用されないが、単回使用で価格が比較的高い医療材料に貼られ、第２の色のラベルは、保険が適用されず、価格が比較的安い医療材料および単回使用でない医療材料に貼られることが好ましい。
【００１４】
前記回収用紙として、患者別に使用されたラベルを回収する患者別回収用紙と、部署別に使用されたラベルを回収する部署別回収用紙が用いられ、前記第１の色のラベルは前記患者別回収用紙に貼られた状態で回収され、前記第２の色のラベルは、前記部署別回収用紙に貼られた状態で回収されることが好ましい。
【００１５】
前記ユニークコードは、前記医療材料が納品された日付およびシリアル番号で構成されることが好ましい。
【００１６】
また前記ラベルに印刷されるバーコードとして、一次元のバーコードを用いるか、もしくは、一次元および二次元のバーコードを併用することが好ましい。
【発明の効果】
【００１７】
本発明に係る院内物流管理システムによれば、医療材料の在庫を適切に管理して、過剰な購入、保管、管理に伴う経済的な負担や無駄を省くことができる。更に、ユニークコードによって紐付けられた情報を分析することにより、医療材料に関して患者が負担するコストが適切であるか否かを簡単に確認することができる。
【図面の簡単な説明】
【００１８】
【図１】本発明の実施の形態に係る院内物流管理システムで用いるラベルの外観図である。
【図２】図１のラベルが回収用紙に貼られた状態を示す図である。
【図３】本発明の実施の形態に係る院内物流システムの配置図である。
【図４】病院内における医療材料、ラベルおよび情報の流れを示すフローチャートである。
【図５】医療用バーコードＧＳ１−１２８の説明図である。
【図６】医療材料に関する情報としてデータベースに格納される情報と紐付けの状態を説明する図である。
【発明を実施するための形態】
【００１９】
以下、本発明の実施の形態に係る院内物流管理システムについて、図面を参照して説明する。なお、本発明は実施の形態の記載内容のみに限定して解釈されるものではない。本発明の趣旨およびその範囲から逸脱することなく、その形態を様々に変更できる。
【００２０】
＜医療材料に貼られるラベルと回収用紙＞
院内物流管理システムの構成について説明する前に、医療材料に貼られて院内を移動するラベルと回収用紙について説明する。図１に、本実施の形態で用いるラベルＬの外観を示す。ラベルＬは、裏側に接着剤が塗布された状態で、図示しない縦長の離型紙に貼り付けられており、離型紙から１枚ずつ剥がして使用する。
【００２１】
ラベルＬは複数のエリアに分かれており、最上段のエリア６１には、個々の医療材料を一意に識別するためのユニークなコードを含む一次元のバーコードが印刷されている。また中段のエリア６２には、医療材料を管理する上で不可欠な情報、具体的には、医療材料の名称、カタログの品番、製造業者、納入業者、単価、入数が文字で印刷されている。
【００２２】
その下のエリア６３には、保険請求の対象であるか否かが表示されている。保険請求の対象である場合、エリア６３に「償」の文字が印刷され、そうでない場合、「不」の文字が印刷される。
【００２３】
最下段のエリア６４には、エリア６２および６３に印刷された情報を含むバーコードが印刷されており、このバーコードの情報をバーコードリーダで読み取り、管理用のデータとして利用する。
【００２４】
ラベルＬの中段左側のエリア６５には、二次元バーコードの一種であるＱＲコード（登録商標）が印刷されている。このＱＲコードには、エリア６１および６４に印刷されたバーコード（以降、エリア６１および６４に印刷されたバーコードを「バーコード６１」「バーコード６４」とも云う）のそれぞれに含まれる情報が書き込まれている。以下、バーコード６１、６４と共にＱＲコードをラベルに印刷する理由を説明する。
【００２５】
バーコードは、ＪＡＮ（Jan Article Number）コードのような一次元のバーコードと、ＱＲコードのような二次元のバーコードに大別される。本実施の形態では、病院の各部署に一次元のバーコードを読み取るバーコードリーダが設置されていることを前提としているが、病院によっては、ＱＲコードを読み取るバーコードリーダしか設置されていない場合がある。ＱＲコードは、このような場合を想定したものであり、ＱＲコードには、最低限２つのバーコード６１、６４に含まれる情報が書き込まれ、それ以外に、電子カルテ等の情報が書き込まれる。
【００２６】
ただし、以下の説明では、バーコードリーダを用いて、ラベルＬに印刷された一次元バーコード６１、６４から情報を読み取るものとする。
【００２７】
上述したように、医療材料に貼られるラベルＬには、医療材料の管理に必要な情報が書き込まれたバーコード６４とは別に、個々の医療材料を一意に識別するために、ユニークなコード（以降、「ユニークコード」という）が書き込まれたバーコード６１が印刷されている。医療材料が取引業者から病院に納品されたときに、上述のラベルＬが、それぞれの医療材料に貼られ、その状態で払い出しや保管が行なわれる。
【００２８】
後述するように、ラベルＬに印刷される情報のうち医療材料の管理に必要な情報は、データベースに格納された医療材料のマスターデータに基づいて作成され、医療材料が納品されたときに、マスターデータから必要な情報を読み出すと共に、それらの情報をバーコードに変換してラベルに印刷する。
【００２９】
図１に示したラベルＬには、エリア６２の上段が赤と青に色分けされた２種類のラベルがあり、色分けは、ラベルに印刷される情報に基づいて行われる。
【００３０】
赤色のラベルは、保険が適用される材料、および保険の請求はできないが、単回使用で、購入単価が比較的高価な（例えば５００円以上）材料に用いられ、医療材料毎にラベルＬが貼られる。
【００３１】
一方、青色のラベルは、ガーゼや注射器のように、保険を請求できない材料で、購入単価が比較的安価な（例えば５００円未満）材料および単回使用でない材料に用いられ、複数の医療材料が収納された箱または袋毎にラベルＬが貼られる。
【００３２】
上述したように、色の異なる２種類のラベルＬを用いるのは、第１に、保険が適用される材料と、そうでない材料とを区別し、保険が適用される医療材料について、費用を確実に請求するためである。第２に、経営管理面から、比較的高価な医療材料について、診療に要したコストを把握するためである。従って、色については、ラベルを区別できるものであれば、特に制限はなく、色を塗るエリアについても制限はない。
【００３３】
上述の目的を達成するため、異なる色のラベルは、異なる回収用紙に貼った状態で回収される。具体的には、回収用紙には２種類あり、赤色のラベルは患者別の回収用紙に貼り、青色のラベルは部署別の回収用紙に貼る。従って、患者別の回収用紙に青色のラベルが貼られていた場合、逆に、部署別の回収用紙に赤色のラベルが貼られていた場合、誤りを簡単に確認できる。
【００３４】
図２に、回収用紙にラベルＬが貼られた状態を示す。図２（ａ）は、患者別回収用紙Ｍ１であり、消費された医療材料のうち、赤色のラベルが貼られた材料から回収されたラベルＬが貼られている。一方、図２（ｂ）は、部署別回収用紙Ｍ２であり、青色のラベルが貼られた医療用材料から回収されたラベルＬが貼られている。
【００３５】
図２（ａ）に示した患者別回収用紙Ｍ１において、上段のエリア７１には、医療材料の消費に関連した情報、具体的には、医療材料が消費された部署および診療科の名称、患者および担当医の名前、並びに回収日が印刷され、かつそれぞれの情報を含むバーコードが印刷されている。
【００３６】
エリア７１の最上段の右端に印刷された「ＡＢ」の文字は、後述するＯＣＲスキャナで情報を読み取るときにスタートキーとなる。またエリア７１の２段目の右端に印刷された「処理済」のチェック欄は、ＯＣＲスキャナによる情報の読み取りが完了したときにチェックされる。
【００３７】
回収用紙Ｍ１の中段のエリア７２には、ラベルＬを貼る枠が複数設けられ、それぞれの枠の下側に設けられたチェック欄に、「不良」「使用中止」等の文字とチェック欄が印刷されている。これらは、ラベルが貼られた医療材料が適正に使用されなかったときに、該当する理由をチェックするために用いられる。
【００３８】
回収用紙Ｍ１の下段のエリア７３には、回収用紙にラベルを貼った者が署名する欄が設けられ、更に、情報の読み取りが終了したことを示す文字とバーコードが印刷されている。
【００３９】
一方、図２（ｂ）に示した部署別回収用紙Ｍ２において、上段のエリア８１には、医療材料が消費された部署の名称とラベルの回収日が印刷され、かつそれぞれの情報を含むバーコードが印刷されている。エリア８１の右端に印刷された「ＡＢ」の文字とチェック欄は、回収用紙Ｍ１のエリア７１に印刷されたものと同一である。
【００４０】
回収用紙Ｍ２の中段のエリア８２の構成は、患者別回収用紙Ｍ１のエリア７２と同様であり、ラベルＬを貼る枠が複数設けられ、それぞれのチェック欄に、「不良」「使用中止」等の文字とチェック欄が印刷されている。
【００４１】
回収用紙Ｍ２の下段のエリア８３には、「終了」の文字とバーコードが印刷されている。このバーコードは、患者別回収用紙Ｍ１のエリア７３と同様に、情報の読み取りが終了したことを示す。
【００４２】
院内の各部署で作成された回収用紙は供給センター（図３参照）に回収され、回収された回収用紙Ｍ１およびＭ２は、後述するＯＣＲスキャナによってバーコードに書き込まれた情報が読み取られ、データベース（図３参照）に格納される。
【００４３】
＜病院内に設置された情報機器＞
次に、図３を参照して、本実施の形態に係る院内物流管理システムを構築する情報機器について、院内における医療材料の流れに沿って説明する。図中、左下の枠内に示したように、白抜きの矢印は医療材料の移動、黒塗りの矢印はラベルの移動、通常の矢印は情報の伝達をそれぞれ示す。
【００４４】
病院１内には、医療材料の物流を管理する供給センター１０、納品された医療材料を保管する倉庫２０、倉庫２０から払い出された医療材料を使用して患者の診察や治療を行う院内の各部署３０があり、それ以外に、保険請求を担当する医事課４０、経理や総務を担当する総務部門５０等の組織がある。
【００４５】
供給センター１０は、病院１内で使用される医療材料を管理し、また院内部署３０からの要請に応じて取引業者２に医療材料を発注する。更に、取引業者２から納品された医療材料の受け入れと検品を行う。
【００４６】
供給センター１０には、これらの業務を実行するために必要な情報機器、具体的には、サーバ１１、データベース１２、端末１３、バーコードリーダ１４、１５、ラベルプリンタ１６およびＯＣＲスキャナ１７が設置されている。
【００４７】
サーバ１１は、院内の各部署に設置された端末および取引業者２の端末と、ＬＡＮおよびインターネットを介して通信を行うことができる。またサーバ１１は、データベース１２に対してデータの書き込みや読み出しを行なう。
【００４８】
端末１３は、取引業者２への医療材料の発注、納品された医療材料の検品、院内で取り扱う医療材料に関するマスターデータの作成等に使用される。本実施の形態では、端末１３を含め、全ての端末をパーソナルコンピュータで構成している。
【００４９】
端末１３で作成されたマスターデータはデータベース１２に格納され、サーバ１１は、端末１３の要求に従い、データベース１２からマスターデータを読み出して端末１３に送信する。
【００５０】
バーコードリーダ１４および１５は、レーザ光線やＬＥＤの光をバーコードに照射し、ＣＣＤで読み取った後、復号器でバーコードに含まれる文字や数字をテキストデータに変換する。
【００５１】
バーコードリーダには、ペン型やハンディターミナル型など様々なタイプがあり、用途に応じて使い分けられる。本実施の形態では、幅広のバーコードの読み取りが可能で、無線でデータを送信するハンディターミナル型のバーコードリーダ１４と、有線でデータを送信するハンドヘルド型のバーコードリーダ１５を採用している。
【００５２】
ハンディターミナル型のバーコードリーダ１４は、医療材料の包装箱や包装袋に印刷されたバーコードの読み取りに用いられる。一方、ハンドヘルド型のバーコードリーダ１５は、ラベルに印刷されたバーコードの読み取りに用いられる。
【００５３】
ラベルプリンタ１６は、医療材料に貼り付けるラベルＬの印刷に用いられる。上述したように、本実施の形態に係る物流管理システムでは、納品された全ての医療材料にラベルＬを貼り、その状態で払い出しや倉庫２０への保管を行なっている。
【００５４】
院内部署３０で消費された医療材料から剥がしたラベルＬは、回収用紙に貼られた状態で回収され、ＯＣＲスキャナ１７で回収用紙およびラベルの情報が読み取られる。
【００５５】
ＯＣＲスキャナ１７は、回収用紙に貼られた複数枚のラベルに印刷されたバーコードを一括して読み取る装置であり、復号器において、それぞれのバーコードに含まれる文字等がテキストデータに変換される。
【００５６】
なお、ＯＣＲスキャナは高額であるため、規模の小さな病院や診療所では購入が難しい。そのような場合、ＯＣＲスキャナを省略し、若干手間が増えるが、ハンドヘルド型のバーコードリーダ１５を用いて、回収用紙およびラベルの情報を読み取るようにしてもよい。
【００５７】
供給センター１０での検品処理を終えた医療材料は、院内部署３０に直接配送される一部の材料を除いて倉庫２０に保管される。倉庫２０には、医療材料の受け入れや払い出しに用いる端末２１と、ラベルＬに印刷されたバーコードの情報を読み取るハンドヘルド型のバーコードリーダ２２が設置されている。
【００５８】
倉庫２０に保管された医療材料は、院内部署３０からの請求により払い出しが行われる。担当者は、端末２１から打ち出されたピッキングリストに基づいて医療材料をピッキングすると共に、バーコードリーダ２２を用いて医療材料に貼られたバーコードの情報を読み取る。
【００５９】
院内部署３０への配送が終了した後、バーコードリーダ２２で読み取られたバーコードの情報は、端末２１によって供給センター１０のサーバ１１に送信され、データベース１２に格納される。
【００６０】
次に、院内部署３０について説明する。院内部署３０には、外来患者を診察する内科、外科、眼科等の診療科、入院患者の治療や手術を行う病棟、ＩＣＵ等の多くの部署が含まれている。
【００６１】
院内部署３０からの請求に基づいて倉庫２０から払い出しが行われ、該当する部署に配送される。各部署には端末３１が設置されている。端末３１は、供給センター１０に対して医療材料の払い出しを請求したり、医療材料の購入を依頼したりする際に用いられる。
【００６２】
院内部署３０で使用され、消費された医療材料に貼られていたラベルＬは、前述の２種類の回収用紙のいずれかに貼られた後、供給センター１０に回収される。前述したように、回収されたラベルＬに印刷された情報は、回収用紙の情報と共にＯＣＲスキャナ１７で読み取られ、データベース１２に格納される。
【００６３】
なお、本実施の形態では、倉庫２０を供給センター１０とは別組織としたが、倉庫２０を供給センター１０内に設けてもよい。この場合、倉庫２０に設置される端末２１とバーコードリーダ２２は、供給センター１０の端末１３とバーコードリーダ１５で兼用できる。
【００６４】
また、本実施の形態では、供給センター１０を病院１内の組織として位置付けているが、供給センター１０の運営と管理を外部業者に委託する形で運用することも可能である。
【００６５】
更に、図３では、院内の各部署３０に端末を設置し、また供給センター１０と倉庫２０にバーコードリーダを１台ずつ設置しているが、組織の規模に応じて複数台設置してもよいことは、云うまでもない。
【００６６】
＜院内における医療材料の流れ＞
次に、図３の配置図および図４のフローチャートを参照して、病院１内における医療材料の流れと、これに伴って発生する情報の流れを説明する。図４のフローチャートにおいて、部署間の矢印については、図３と同様に、白抜きの矢印は医療材料の移動、黒塗りの矢印はラベルの移動、通常の矢印は情報の伝達を示す。
【００６７】
供給センター１０の担当者は、医療材料の在庫が予定数を下回った場合、および院内のいずれかの部署３０から購入の依頼があった場合、端末１３を用いて取引業者に医療材料を発注する（ステップＳ１０）。
【００６８】
担当者は、端末１３を用いてサーバ１１にアクセスし、データベース１２に格納されたマスターデータから医療材料の発注に必要な情報（商品名、発注元部署名、取引業者名、価格等）を読み出して発注書を作成する。発注書は、電子メールに添付された状態で、取引業者２の端末３に送信される。
【００６９】
なお、発注書を取引業者に渡す形態は、必ずしも電子メールに添付する形でなくてもよく、発注書を郵送や手渡しで取引業者に渡すようにしても良い。
【００７０】
電子メールを受信した取引業者２は、添付された発注書の内容を確認して、注文された医療材料を指定された個数、供給センター１０に納品する（ステップＳ０１）。
【００７１】
供給センター１０の担当者は、取引業者２から納品された医療材料の検品を行う（ステップＳ１１）。具体的には、担当者は、サーバ１１から発注書のデータを読み出して端末１３の画面に表示し、注文した医療材料が指定した個数、納品されたことを確認する。検品の情報はサーバ１１に送信され、在庫情報としてデータベース１２に格納される。
【００７２】
検品の際、担当者は、医療情報の包装箱や包装袋に印刷された医療用バーコードの情報を、バーコードリーダ１４を用いて読み取る（ステップＳ１２）。ここで、医療用バーコードであるＧＳ１−１２８について説明する。
【００７３】
医療用バーコードＧＳ１−１２８は、医薬品や医療材料のデータ化および医薬品の取り違え事故の防止やトレーサビリティの観点から導入されたもので、標準バーコードとして、医療材料の包装箱や袋に印刷されている。
【００７４】
図５（ａ）にＧＳ１−１２８のバーコードのデータ構造を示し、図５（ｂ）にバーコードの一例を示す。バーコードには、医療材料の商品コード、有効期限、ロット番号等の情報が書き込まれている。以降、バーコードＧＳ１−１２８に含まれる情報を「標準化情報」と云う。
【００７５】
次に、担当者は、検品が終了した医療材料に、一意に識別可能なユニークコードを付与すると共に、当該ユニークコードを用いて、医療材料に関する情報の紐付けを行う（ステップＳ１３）。
【００７６】
図６を参照して、医療材料に関する情報としてデータベース１２に格納される情報について説明する。図６に示すように、データベース１２に格納される医療材料の情報には４種類の情報がある。
【００７７】
材料管理情報Ｉ１は、マスターデータに書き込まれた情報であり、その中には、名称、品番、製造業者、納入業者、単価等の医療材料を管理する上で不可欠な情報が含まれている。これらの情報は、医療材料を保管したり使用したりする上で必要となるため、ラベルＬのバーコード６４に書き込まれる。
【００７８】
在庫・消費情報Ｉ２は、個々の医療材料の在庫状況や消費状況を示す情報であり、受入れた部署の情報と、いつどの患者に使用され、消費されたかを示す情報が含まれる。在庫・消費情報Ｉ２により、現在、医療材料がどの部署に保管され、また消費済みであるか否かを確認できる。
【００７９】
標準化情報Ｉ３は、ＧＳ１−１２８のバーコードに書き込まれた情報であり、上述したように、医療材料の取り違えを防止するため、およびトレーサビリティの観点から医療材料の包装箱や包装袋に印刷されている。図５（ａ）に示したように、標準化情報には、商品コードの他、有効期限を示す情報やロット番号に関する情報が含まれている。
【００８０】
ユニークコードＩ４は、個々の医療材料を一意に識別できる情報であり、供給センター１０に医療材料が納品された際に付与され、ラベルＬのバーコード６１に書き込まれる。ユニークコードＩ４は、納品日とシリアル番号で構成されているため、ユニークコードＩ４によって、いつ納品された医療材料であるかを確認できる。
【００８１】
図６に示すように、材料管理情報Ｉ１、在庫・消費情報Ｉ２および標準化情報Ｉ３を、ユニークコードＩ４で紐付けることにより、従来の院内物流管理システムでは得られなかった新たな機能を実現できる。
【００８２】
新たな機能の一つは、患者毎に使用され、消費された医療材料のリストアップである。従来のシステムでは、医療材料を一意に識別できるユニークコードがラベルに付与されていなかったために、患者毎に消費された医療材料をリストアップすることができなかった。
【００８３】
これに対し、本発明に係る物流管理システムでは、消費された医療材料の在庫・消費情報Ｉ２に、消費された部署の情報だけでなく患者や担当医の情報が含まれている。従って、ユニークコードＩ４を用いて、在庫・消費情報Ｉ２と材料管理情報Ｉ１を紐付けることにより、特定の患者に使用された医療材料をリストアップすることができる。この情報を利用すれば、患者毎に医療材料が適切に使用されたか否かを、確認することができる。
【００８４】
もう一つの新たな機能は、標準化情報Ｉ３に含まれる有効期限の情報と、在庫・消費情報Ｉ２をユニークコードＩ４で紐付けることにより、有効期限の迫った医療材料が、現在、院内のどの部署に保管されているかを確認できる。
【００８５】
標準化情報Ｉ３に基づいて、有効期限の迫った医療材料を保管している部署の端末の画面に注意を喚起する表示を行うことにより、担当者に、当該医療材料の早期消費を促し、使用されないまま期間を経過して、無駄に廃棄されることを避けることができる。
【００８６】
図４の説明に戻り、検品が終了し、更にユニークコードが付与された医療材料について、担当者は、端末１３を用いてサーバ１１にアクセスし、データベース１２から必要な情報を取り出し、ラベルプリンタ１６を用いて、個々の医療材料に対応したラベルＬを印刷する（ステップＳ１４）。印刷されたラベルＬは台紙から剥がされ、医療材料に貼られる（同ステップ）。
【００８７】
前述したように、赤色のラベルについては、医療材料毎にラベルが貼られ、青色のラベルについては、複数の医療材料が収納された箱または袋毎にラベルが貼られる。
【００８８】
ラベルが貼られた医療材料の一部（特定の部署でしか使用しない材料）は、発注の依頼があった部署に払い出され（ステップＳ１５でＮｏ）、それ以外の医療材料は倉庫２０に保管される（ステップＳ１５でＹｅｓ、ステップＳ２１）。
【００８９】
払い出される医療材料については、ピッキングリストに基づいて収集された後、バーコードリーダ１５で払出伝票に印刷された伝票番号のバーコード情報およびラベルのバーコード情報を読み取って誤りがないことを確認し、その後、依頼部署に配送される（ステップＳ１６）。
【００９０】
一方、読み取られたバーコード情報およびピッキングリストに掲載された払出先部署の情報はサーバ１１に送信され、データベース１２に格納された在庫・消費情報Ｉ２が更新される（ステップＳ１７）。
【００９１】
倉庫２０に保管された医療材料は、院内部署３０の請求に基づいて払い出しが行われる（ステップＳ２２）。払い出しの内容は、供給センター１０におけるそれと同様であり、担当者は、ピッキングリストに基づいて医療材料を収集した後、バーコードリーダ２２を用いて、払出伝票に印刷された伝票番号のバーコード情報と共に医療材料に貼られたラベルのバーコード情報を読み取って誤りがないことを確認する。読み取られたバーコード情報および払出先部署の情報は端末２１のメモリに記憶されると共に、サーバ１１に送信され、データベース１２に格納された在庫・消費情報Ｉ２が更新される（ステップＳ１７）。
【００９２】
院内部署３０において受け入れ処理が終了した医療材料は（ステップＳ３１）、患者の診断や治療に使用され、消費される（ステップＳ３２）。看護師等の担当者は、消費された医療材料に貼られたラベルＬを剥がし、図２に示した回収用紙に貼る（ステップＳ３３）。
【００９３】
原則として、回収用紙は毎日印刷され、その日に消費された医療材料のラベルＬが貼られた回収用紙は供給センター１０に回収される（ステップＳ３４）。回収された回収用紙は、ＯＣＲスキャナ１７によって各ラベルのバーコード情報および回収用紙に印刷されたバーコード情報が読み取られ、サーバ１１に送信される（ステップＳ１８）。更に、サーバに送信された情報に基づいて、データベース１２に格納された在庫・消費情報Ｉ２が更新される（同ステップ）。
【００９４】
サーバ１１は、このようにして更新された在庫・消費情報Ｉ２から、医療材料の消費情報を抽出する（ステップＳ１９）。この消費情報には、患者毎、担当医毎、部署毎に消費された医療材料のリストと、当該リストおよび前述の材料管理情報Ｉ１から作成された保険請求が可能な医療材料のリストが含まれる。
【００９５】
院内の医事課４０の担当者は、端末４１を用いてサーバ１１にアクセスし、データベース１２から保険請求可能な医療材料のリストを読み出し、そのリストに基づいて保険請求の書類を作成する（ステップＳ４１）。また総務部門５０の担当者は、消化払いおよび委託品の場合、消費された医療材料のリストに基づいて取引業者２に支払いを行う（ステップＳ５１）。
【００９６】
更に、総務部門５０の担当者は、必要に応じ、患者毎、担当医毎の消費リストに掲載されたデータに基づいて、医療材料が適切に使用されているか否かを分析する。
【００９７】
上述したように、本発明に係る院内物流管理システムを用いれば、医療材料の在庫を適切に管理して、過剰な購入、保管、管理に伴う経済的な負担や無駄を省くだけでなく、ユニークコードによって紐付けられた情報を分析することにより、医療材料に関して患者が負担するコストが適切であるか否かを、簡単に確認することができる。
【符号の説明】
【００９８】
１  病院
２  取引業者
３、１３、２１、３１、４１、５１  端末
１０  供給センター
１１  サーバ
１２  データベース
１４、１５、２２  バーコードリーダ
１６  ラベルプリンタ
１７  ＯＣＲスキャナ
２０  倉庫
３０  院内部署
４０  医事課
５０  総務部門
【図１】
2019008694.tif 000003
【図２】
2019008694.tif 000004
【図３】
2019008694.tif 000005
【図４】
2019008694.tif 000006
【図５】
2019008694.tif 000007
【図６】
2019008694.tif 000008
【手続補正書】
【提出日】平成30年4月27日(2018.4.27)
【手続補正１】
【補正対象書類名】明細書
【補正対象項目名】０００３
【補正方法】変更
【補正の内容】
【０００３】
上述の医療材料には、納入業者が病院内の決まった場所に置いて置き、使用した分だけ購入する委託品、ガーゼ、包帯などの衛生材料、注射器のように病院が定期的に購入して倉庫に保管しておく病院買取品等、様々な種類がある。
【手続補正２】
【補正対象書類名】明細書
【補正対象項目名】０００８
【補正方法】変更
【補正の内容】
【０００８】
しかし、上述の院内物流管理システムでは、患者別の消費情報、すなわち、それぞれの医療材料が、どの部署でどの患者に使用されたかを把握できないために、医療材料に関して患者が負担するコストが適切であるか否かを確認することができなかった。
【手続補正３】
【補正対象書類名】明細書
【補正対象項目名】００１８
【補正方法】変更
【補正の内容】
【００１８】
【図１】本発明の実施の形態に係る院内物流管理システムで用いるラベルの外観図である。
【図２】図１のラベルが回収用紙に貼られた状態を示す図である。
【図３】本発明の実施の形態に係る院内物流管理システムの配置図である。
【図４】病院内における医療材料、ラベルおよび情報の流れを示すフローチャートである。
【図５】医療用バーコードＧＳ１−１２８の説明図である。
【図６】医療材料に関する情報としてデータベースに格納される情報と紐付けの状態を説明する図である。
【手続補正４】
【補正対象書類名】明細書
【補正対象項目名】００４２
【補正方法】変更
【補正の内容】
【００４２】
院内の各部署で作成された回収用紙は供給センター（図３参照）に回収され、回収された回収用紙Ｍ１およびＭ２は、後述するＯＣＲスキャナまたはバーコードリーダによってバーコードに書き込まれた情報が読み取られ、データベース（図３参照）に格納される。